(57)【要約】【課題】画像の周辺部が暗くなったり、消失してしまったりすることを無くすことができるデジタルカメラを提供する。【解決手段】デジタルカメラに加わるぶれを抑制する方向に撮像素子を移動させ、前記ぶれに起因する像ぶれを補正するぶれ補正手段を有し、ぶれ補正手段は、デジタルカメラに装着される撮像レンズのイメージサークルの大きさに応じて、前記撮像素子の移動量を制御する（Ｓ８→Ｓ９→Ｓ１０、Ｓ８→Ｓ３０→Ｓ３１）。【選択図】図６
2006349707.tif 000002
【特許請求の範囲】
【請求項１】
当該デジタルカメラに加わるぶれを抑制する方向に撮像素子を移動させ、前記ぶれに起因する像ぶれを補正するぶれ補正手段を有するデジタルカメラにおいて、
前記ぶれ補正手段は、当該デジタルカメラに装着される撮像レンズのイメージサークルの大きさに応じて、前記撮像素子の移動量を制御することを特徴とするデジタルカメラ。
【請求項２】
前記ぶれ補正手段は、前記撮像レンズのイメージサークルの大きさの範囲内で、前記撮像素子を移動させて像ぶれを補正することを特徴とする請求項１に記載のデジタルカメラ。
【請求項３】
当該デジタルカメラに加わるぶれを抑制する方向に撮像素子を移動させ、前記ぶれに起因する像ぶれを補正するぶれ補正手段を有するデジタルカメラにおいて、
当該デジタルカメラに装着される撮像レンズのイメージサークルの大きさが所定の大きさよりも小さい場合は、前記ぶれ補正手段の動作を禁止することを特徴とするデジタルカメラ。
【発明の詳細な説明】
【技術分野】
【０００１】
本発明は、ぶれ補正手段を有するデジタルカメラに関するものである。
【背景技術】
【０００２】
従来、被写体像を結像する交換可能な撮像レンズと、撮像レンズを着脱自在に係合するマウントと、マウントに装着された撮像レンズと情報通信を行う通信手段と、マウントに装着された撮像レンズで結像した被写体像を光電変換する撮像素子と、カメラのぶれを検出するカメラぶれ検出手段と、カメラぶれ検出手段で検出したカメラぶれと通信手段により得られたレンズ情報に応じてぶれを相殺するように撮像素子を移動させるぶれ補正手段とを持つデジタルカメラが提案（特許文献１）されている。この種のデジタルカメラは、カメラのぶれを撮像素子の移動で相殺するために、交換可能なレンズに依存せず、どのようなレンズにもカメラぶれ補正効果が発揮できるメリットがあった。
【０００３】
近年の撮像レンズ交換可能なデジタルカメラの撮像素子は種々の大きさのものが存在している。例えば従来の銀塩カメラの１３５サイズ（以下、銀塩１３５サイズと記す）と同等なものや、ＡＰＳカメラ（磁気記録再生可能なカメラ）のＨサイズ（ハイビジョンサイズ）と等価な対角距離を持つものや、ＡＰＳカメラのＣサイズ（標準サイズ）とほぼ等価な対角距離を持つものや、その他の大きさの撮像素子を持つものなどが存在している。そして、レンズ交換可能なデジタルカメラは従来の銀塩１３５サイズの交換可能レンズを使用するシステムが多く、従来の銀塩１３５サイズをカバーするイメージサークルを持つレンズシステムで、これらの交換可能なレンズは上記いろいろなサイズの撮像素子を持つデジタルカメラに共通で使用可能なものとなっていた。なお、上記のイメージサークルとは、撮像レンズを介して形成される被写体像の結像平面（被写体像が結像される光軸と直交する平面）上における略円形の形状をいう。
【０００４】
ところが、上記の種々のサイズの撮像素子を持つデジタルカメラのうち、小さめの撮像素子、例えばＡＰＳのＣサイズとほぼ等価な対角距離を持つ撮像素子を持つデジタルカメラにおいては、撮影される画角は従来の銀塩１３５サイズの中央部分の一部であり、焦点距離換算で銀塩１３５サイズのほぼ１．６倍程度の焦点距離の撮影となってしまう。そのために銀塩１３５サイズのシステムと同等の広角レンズの効果を得るためには従来の銀塩１３５サイズの交換レンズにおいては１／１．６倍の広角レンズを使用する必要がある。ところが、広角系のレンズは従来の銀塩１３５サイズのレンズは該銀塩１３５サイズ全画角をカバーするイメージサークルを持っているために大きめな前玉レンズを要し、レンズも大きめとなり、総じて高価なものとなってしまう欠点があった。
【０００５】
近年は、この欠点を解消するために、小さな撮像素子の画角に対応した範囲だけをカバーするイメージサークルを持つタイプのレンズを開発し、提供することが広く行われるようになった。すなわち、撮像レンズ交換可能なデジタルカメラにおいて、サイズの異なるイメージサークルの撮像レンズを使用するデジタルカメラが実現されている。
【特許文献１】特開２００４−２７４２４２号公報
【発明の開示】
【発明が解決しようとする課題】
【０００６】
ところが、上記のカメラぶれとレンズの焦点距離に応じてぶれを相殺するように撮像素子を移動させるぶれ補正手段を持つデジタルカメラにおいて、従来の銀塩１３５サイズのイメージサークル内で撮像素子を移動させることが可能であったが、小さなイメージサークルのレンズを装着した場合、カメラぶれ補正のために従来と同じように撮像素子を移動させると、撮像素子はレンズのイメージサークルからはみ出してしまい、画面の周辺の画像が暗くなったり、像が消失してしまったりするという課題を有していた。
【０００７】
（発明の目的）
本発明の目的は、画像の周辺部が暗くなったり、消失してしまったりすることを無くすことのできるデジタルカメラを提供しようとするものである。
【課題を解決するための手段】
【０００８】
上記目的を達成するために、請求項１に記載の本発明は、当該デジタルカメラに加わるぶれを抑制する方向に撮像素子を移動させ、前記ぶれに起因する像ぶれを補正するぶれ補正手段を有するデジタルカメラにおいて、前記ぶれ補正手段が、当該デジタルカメラに装着される撮像レンズのイメージサークルの大きさに応じて、前記撮像素子の移動量を制御するデジタルカメラとするものである。
【０００９】
同じく上記目的を達成するために、請求項３に記載の本発明は、当該デジタルカメラに加わるぶれを抑制する方向に撮像素子を移動させ、前記ぶれに起因する像ぶれを補正するぶれ補正手段を有するデジタルカメラにおいて、当該デジタルカメラに装着される撮像レンズのイメージサークルの大きさが所定の大きさよりも小さい場合は、前記ぶれ補正手段の動作を禁止するデジタルカメラとするものである。
【発明の効果】
【００１０】
本発明によれば、画像の周辺部が暗くなったり、消失してしまったりすることを無くすことができるデジタルカメラを提供できるものである。
【発明を実施するための最良の形態】
【００１１】
本発明を実施するための最良の形態は、以下の実施例１および実施例２に示す通りである。
【実施例１】
【００１２】
図１は本発明の実施例１に係わるデジタルカメラであり、同図において、１はデジタルカメラ、２は被写体像を結像する交換可能な撮像レンズ、３は撮像レンズ２を着脱自在に係合するマウントである。４は撮像レンズ２からの被写体光束を後述するピント板９とＡＦ装置６へ向かう光束に分割する状態とミラーアップして撮像レンズ２からの光束を遮らない撮影状態へと回動自在に配置される主ミラーである。５は主ミラー４を透過した撮像レンズ２からの光束をＡＦ装置６へ反射するする状態と主ミラー４に回動自在に配置され、主ミラー４が撮影状態に移動すると同時に撮影光束を遮らない位置へ退避するサブミラーである。
【００１３】
６はサブミラー４で反射された撮像レンズ２からの光束を取り込んで焦点の状態を検出するＡＦ装置、７は撮像レンズ２で集光される被写体光束の露光時間を決定するシャッタ、８はローパスフィルタ、９は主ミラー４で反射された被写体の光束が投影されるピント板、１０はピント板９に結像された被写体象をファインダへ導くペンタプリズム、１１はペンタプリズム１０で導かれたピント板９に結像された被写体像を撮影者に導くファインダレンズである。３０は撮像素子３１を駆動する撮像素子駆動部であり、図２〜図４を用いてその詳細を説明する。その他、ピント板９にて拡散され、ペンタプリズム１０を透過した光束を測定し、露出を決定するための測光装置１２（図５）等を有している。
【００１４】
図２は図３のＡ−Ａ断面図、図３は撮像素子駆動部３０を撮像レンズ２の方向から見た正面図、図４は図３のＢ−Ｂ断面図である。
【００１５】
これらの図において、３１は撮像素子であり、本実施例１においては銀塩１３５サイズに比べ小さい対角距離を持つ例を示す。３２は撮像素子３１を固定して電気的接続をし、外部へと信号を導く撮像素子のパッケージ、３３はパッケージ３２に接着結合されるカバーガラスであり、前記撮像素子３１とパッケージ３２とカバーガラス３３は一体的に構成されている。３４は、撮像素子３１（及びパッケージ３２、カバーガラス３３）を保持し、後述の軸３５にスライド自在に係合して図３の左右方向にスライド可能な第１保持部である。３５は第１保持部３４と嵌合する一対の軸である。３６は、軸３５を固定して保持し、後述の軸３８にスライド自在に係合して図３の上下方向にスライド可能な第２保持部である。３７は、第２保持部３６に固定され、第１保持部３４に対して図３の左右方向の力を発生し、第１保持部３４を軸３５に沿って図３において左右方向に移動させる第１駆動部である。３８は第２保持部３６と係合する一対の軸である。３９は軸３８を固定して保持するベース部材であり、カメラ本体に固定される。４０は、ベース部材３９に固定され、第２保持部３６に対して図３において上下方向の力を発生し、第２保持部３６を軸３８に沿って図３の上下方向に移動させる第２駆動部である。
【００１６】
上記ような構造を撮像素子駆動部３０がとるので、撮像素子３１は第１駆動部３７と第２駆動部４０の駆動により、図３において左右および上下の各方向に移動可能となる。
【００１７】
図５は本発明の実施例１に係わるデジタルカメラ１の電気的構成を示すブロック図である。同図において、５０はデジタルカメラ１に加わるぶれを検出する振動検出部、５１は撮像素子３１の位置を検出する位置検出部、５２は撮像素子３１で光電変換された被写体の画像信号のアナログ信号をデジタル信号に変換するＡ／Ｄ変換部、５３はＡ／Ｄ変換部５２でＡ／Ｄ変換された被写体の画像信号を画像処理する画像処理部、５４は画像処理部５３で処理される画像信号のデータを一時的に蓄える画像メモリ、５５はデジタルカメラ１で生成された画像信号を最終的に記録する外部メモリ、５６はデジタルカメラ１で生成された画像を表示するための外部表示装置、５７は２段スイッチとなっているシャッタ釦であり、スイッチＳＷ１とスイッチＳＷ２を持つ。５８はデジタルカメラ１の全体を制御する制御部であり、内部に、撮像素子駆動部３０を介して、デジタルカメラ１に加わるぶれを抑制する方向に撮像素子３１を移動させ、前記ぶれに起因する像ぶれを補正するぶれ補正手段５８ａを有する。
【００１８】
次に、上記構成のデジタルカメラ１の主要部分の動作について、図６のフローチャートを用いて説明する。
【００１９】
まず、ステップＳ１にてデジタルカメラ１に電源が投入されると、制御部５８は、ステップＳ２にて、シャッタ釦５７の状態、詳しくはスイッチＳＷ１の状態を確認する。ここで、スイッチＳＷ１がオンしていればステップＳ３へ進み、マウント３に取り付けられている撮像レンズ２のレンズ情報（焦点距離、イメージサークル、絞り等の情報）の確認を行う。その後、ステップＳ４へ進み、ＡＦ装置６にて焦点情報を得、この焦点情報に基づいて撮像レンズ２の駆動（ピント調節）を行う。次のステップＳ５では、測光装置１２にて被写体の明るさを測定し、この測定値に基づいて撮影者の指示にあった露出制御の値を演算し、撮像レンズ２の図示しない絞りやシャッタ７の制御時間を決定する。
【００２０】
次に、ステップＳ６では、制御部５８は、シャッタ釦５７の状態、詳しくはスイッチＳＷ２の状態を確認する。ここで、スイッチＳＷ２がオンしていなければステップＳ４に戻り、スイッチＳＷ２がオンされるまで同様の動作を繰り返す。その後、スイッチＳＷ２がオンしたことを確認するとステップＳ７へ進み、振動検出部５０を用いて現在デジタルカメラ１に加わっている振動（ぶれ）の検出を開始する。
【００２１】
次のステップＳ８では、制御部５８は、上記ステップＳ３にて確認した撮像レンズ２のイメージサークルの大きさを調べ、現在装着されている撮像レンズ２が通常の大きさのレンズかどうかを判定する。この結果、通常の大きさのイメージサークルを持った撮影レンズ２であればステップＳ９へ進み、制御部５８内のぶれ補正手段５８ａが上記ステップＳ３で得た焦点距離と上記ステップＳ７から開始した振動検出部５０の結果を加味してぶれ補正演算を行う。この際、ぶれ補正範囲のモードは通常モードとする。そして、次のステップＳ１０にて、撮像素子駆動部３０を制御し、撮像素子３１を通常のぶれ補正範囲で移動（大きく作動）させてぶれ補正を行う。具体的には、上記のぶれ補正演算の結果に基づいて、第１駆動部３７と第２駆動部４０を駆動してぶれを抑制（相殺）する方向に撮像素子３１を移動させる。この際、移動させられる撮像素子３１の位置は位置検出部５１にて検出されており、ぶれ補正手段５８ａはこの位置情報を参照しながら所望の位置となるように撮像素子３１が移動させ、前記ぶれに起因する像ぶれの補正を行うことになる。
【００２２】
次のステップＳ１１では、制御部５８は、主ミラー４とサブミラー５を撮像レンズ２の光束から退避した位置へアップさせ、次いでステップＳ１２にて、撮像素子３１にて撮像を開始する。そして、次のステップＳ１３にて、シャッタ７の先幕を走行させ、続くステップＳ１４にて、上記ステップＳ５の演算結果に応じたシャッタスピードにて上記シャッタ７の後幕を走行させ、次のステップＳ１５にて、撮像素子３１での撮像を終了する。
【００２３】
その後はステップＳ１６へ進み、制御部５８は、ぶれ補正手段５８ａの作動を終了し、次のステップＳ１７にて、振動検出部５０におけるカメラ２に加われるぶれの検出を終了する。次のステップＳ１８では、撮像素子３１にて光電変換された被写体像を読み出し、続くステップＳ１９にて、Ａ／Ｄ変換部５２にて光電変換された被写体像のアナログ信号をデジタルへと変換する。そして、次のステップＳ２０にて、画像メモリ５４にデジタル化された被写体像の画像信号を格納し、ステップＳ２１にて、画像処理部５３を用いて被写体像の画像信号のいわゆる現像処理を行う。現像処理を終了した画像信号は、次のステップ２２にて、外部メモリ５５に格納し、通常撮影のルーチンを終了する。
【００２４】
次に、上記ステップＳ８にて、撮像レンズ２のイメージサークルが所定の大きさよりも小さいと判定した場合の処理について説明する。
【００２５】
ステップＳ８にて撮像レンズ２のイメージサークルが所定の大きさよりも小さいと判定すると、制御部５８は、ステップＳ８からステップＳ３０へ進み、上記ステップＳ９と同様、ぶれ補正演算を開始するが、このときぶれ補正手段５８ａは上記ステップＳ９の通常状態よりもぶれ補正範囲の狭い制限のかかった補正範囲小モードにて演算を開始する。そして、次のステップＳ３１にて、撮像素子駆動部３０を制御し、撮像素子３１を上記ステップＳ１０の場合よりも小さなぶれ補正範囲で移動（小さく作動）させてぶれ補正を行う。
【００２６】
以後のステップＳ１１からステップＳ２２までの動作は上記と同様であるので、その説明は省略する。
【００２７】
ここで、上記ステップＳ１０と上記ステップＳ３１の違いを、図７を用いて説明する。
【００２８】
図７（ａ）には、通常の大きさのイメージサークルを持つ撮像レンズ２のイメージサークル８０と１３５サイズに比べて小さな対角距離を持つ撮像素子３１の関係を示している。このとき、イメージサークル８０は撮像素子３１に比較し十分に大きなものなので、上記ぶれ補正のために撮像素子３１を移動させる移動量としては十分な範囲を確保することが可能である。
【００２９】
これに対し、図７（ｂ）には、イメージサークルの小さな撮像レンズ２のイメージサークル８１と撮像素子３１の関係を示している。このとき、イメージサークル８１は撮像素子３１に比較してぎりぎりの大きさになっているので、上記ぶれ補正のための撮像素子３１の移動量としてはかなり狭い範囲に限定されることがわかる。もし、図７（ｂ）の状態で撮像素子３１を上記ステップＳ１０と同様の移動を許可してしまうと、撮像素子３１はイメージサークル８１の範囲を超えて移動することになり、画面周辺の画像が暗くなったり、消失したりしてしまうが、上記のような処理（ステップＳ３０，Ｓ３１）を行うことで、そのような事故は起きない。
【００３０】
以上の実施例１によれば、通常の大きさのイメージサークルを持つ撮像レンズ２がデジタルカメラ１に装着された場合は、ぶれ補正範囲を通常状態で行い、通常の大きさよりも小さなイメージサークルを持つ撮像レンズ２がデジタルカメラ１に装着された場合は、ぶれ補正範囲を通常時よりも小さくすることで、別言すれば、そのときのイメージサークルの大きさに合ったぶれ補正範囲内でぶれ補正を行うようにしているので、画面周辺の光量が低下したり、周辺の画像が消失したりしてしまう事故を防ぐことが可能となる。
【実施例２】
【００３１】
次に、本発明の実施例２に係わるデジタルカメラの主要部分の動作について、図８のフローチャートを用いて説明する。なお、デジタルカメラの構成は図１ないし図５と同様であるので、その説明は省略する。
【００３２】
まず、ステップＳ５１にてデジタルカメラ１に電源が投入されると、制御部５８は、ステップＳ５２にて、シャッタ釦５７の状態、詳しくはスイッチＳＷ１の状態を確認する。ここで、スイッチＳＷ１がオンしていればステップＳ５３へ進み、マウント３に取り付けられている撮像レンズ２のレンズ情報（焦点距離、イメージサークル、絞り等の情報）の確認を行う。その後、ステップＳ５４へ進み、ＡＦ装置６にて焦点情報を得、この焦点情報に基づいて撮像レンズ２の駆動（ピント調節）を行う。次のステップＳ５５では、測光装置１２にて被写体の明るさを測定し、この測定値に基づいて撮影者の指示にあった露出制御の値を演算し、撮像レンズ２の図示しない絞りやシャッタ７の制御時間を決定する。
【００３３】
次に、ステップＳ５６では、制御部５８は、シャッタ釦５７の状態、詳しくはスイッチＳＷ２の状態を確認する。ここで、スイッチＳＷ２がオンしていなければステップＳ５４に戻り、スイッチＳＷ２がオンされるまで同様の動作を繰り返す。その後、スイッチＳＷ２がオンしたことを確認するとステップＳ５７へ進み、上記ステップＳ５３にて確認した撮像レンズ２のイメージサークルの大きさを調べ、現在装着されている撮像レンズ２が通常の大きさのレンズかどうかを判定する。この結果、通常の大きさのイメージサークルを持った撮影レンズ２であればステップＳ５８へ進み、通常の大きさのイメージサークルよりも小さなイメージサークルを持った撮影レンズ２であればステップＳ７３へ進む。
【００３４】
まず、通常の大きさのイメージサークルを持った撮影レンズ２であるとしてステップＳ５８へ進んだ場合について説明する。
【００３５】
ステップＳ５８では、振動検出部５０を用いて現在デジタルカメラ１に加わっている振動（ぶれ）の検出を開始する。そして、次のステップＳ５９へ進み、制御部５８内のぶれ補正手段５８ａが上記ステップＳ５３で得た焦点距離と上記ステップＳ５８から開始した振動検出部５０の結果を加味してぶれ補正演算を行う。この際、ぶれ補正範囲のモードは通常モードとする。そして、次のステップＳ６０にて、撮像素子駆動部３０を制御し、撮像素子３１を通常のぶれ補正範囲で移動（大きく作動）させてぶれ補正を行う。具体的には、上記のぶれ補正演算の結果に基づいて、第１駆動部３７と第２駆動部４０を駆動してぶれを抑制（相殺）する方向に撮像素子３１を移動させる。この際、移動させられる撮像素子３１の位置は位置検出部５１にて検出されており、ぶれ補正手段５８ａはこの位置情報を参照しながら所望の位置となるように撮像素子３１が移動させ、前記ぶれに起因する像ぶれの補正を行うことになる。
【００３６】
次のステップＳ６１では、制御部５８は、主ミラー４とサブミラー５を撮像レンズ２の光束から退避した位置へアップさせ、次いでステップＳ６２にて、撮像素子３１にて撮像を開始する。そして、次のステップＳ６３にて、シャッタ７の先幕を走行させ、続くステップＳ６４にて、上記ステップＳ５５の演算結果に応じたシャッタスピードにて上記シャッタ７の後幕を走行させ、次のステップＳ６５にて、撮像素子３１での撮像を終了する。
【００３７】
その後はステップＳ６６へ進み、制御部５８は、ぶれ補正手段５８ａの作動を終了し、次のステップＳ６７にて、振動検出部５０におけるカメラ２加われるぶれの検出を終了する。次のステップＳ６８では、撮像素子３１にて光電変換された被写体像を読み出し、続くステップＳ６９にて、Ａ／Ｄ変換部５２にて光電変換された被写体像のアナログ信号をデジタルへと変換する。そして、次のステップＳ７０にて、画像メモリ５４にデジタル化された被写体像の画像信号を格納し、ステップＳ７１にて、画像処理部５３を用いて被写体像の画像信号のいわゆる現像処理を行う。現像処理を終了した画像信号は、次のステップ７２にて、外部メモリ５５に格納し、通常撮影のルーチンを終了する。
【００３８】
次に、上記ステップＳ５７にて、撮像レンズ２のイメージサークルが所定の大きさよりも小さいと判定した場合の処理について説明する。
【００３９】
ステップＳ５７にて撮像レンズ２のイメージサークルが所定の大きさよりも小さいと判定すると、制御部５８は、ステップＳ５７からステップＳ７３へ進み、ぶれ補正手段５８ａによるぶれ補正を禁止する。そして、次のステップＳ７４にて、主ミラー４とサブミラー５を撮像レンズ２の光束から退避した位置へアップさせ、次いでステップＳ７５にて、撮像素子３１にて撮像を開始する。続くステップＳ７６では、シャッタ７の先幕を走行させ、次のステップＳ７７にて、上記ステップＳ５５の演算結果に応じたシャッタスピードにて上記シャッタ７の後幕を走行させる。そして、次のステップＳ７８にて、撮像素子３１での撮像を終了する。
【００４０】
その後はステップＳ６８へ進み、撮像素子３１にて光電変換された被写体像を読み出し、次のステップＳ６９にて、Ａ／Ｄ変換部５２にて光電変換された被写体像のアナログ信号をデジタルへと変換する。そして、次のステップＳ７０にて、画像メモリ５４にデジタル化された被写体像の画像信号を格納し、続くステップＳ７１にて、画像処理部５３を用いて被写体像の画像信号のいわゆる現像処理を行う。現像処理を終了した画像信号は、次のステップ７２にて、外部メモリ５５に格納し、撮像レンズ２のイメージサークルが所定の大きさよりも小さい場合の撮影ルーチンを終了する。
【００４１】
以上の実施例２によれば、通常の大きさのイメージサークルを持つ撮像レンズ２がデジタルカメラ１に装着された場合は、ぶれ補正範囲を通常状態で行い、通常の大きさよりも小さなイメージサークルを持つ撮像レンズ２がデジタルカメラ１に装着された場合は、ぶれ補正手段５８ａによるぶれ補正を禁止するようにしているので、通常の大きさよりも小さなイメージサークルを持つ撮像レンズ２がデジタルカメラ１に装着されたとしても、画面周辺が光量落ちした画像や、画面周辺が欠落した画像が生成されることは無い。つまり、画面周辺の光量が低下したり、周辺の画像が消失したりしてしまう事故を防ぐことが可能となる。
【００４２】
上記実施例１および２では、独立した振動検出部５０を持つデジタルカメラを例にしていたが、撮像素子３１にて取り込まれる画像を判定して振動検出を行うデジタルカメラにおいても同様に適用できることはいうまでもない。
【図面の簡単な説明】
【００４３】
【図１】本発明の実施例１に係わるデジタルカメラの構成図である。
【図２】図３のＡ−Ａ断面図である。
【図３】本発明の実施例１に係わるデジタルカメラの撮像素子駆動部を示す正面図である。
【図４】図３のＢ−Ｂ断面図である。
【図５】本発明の実施例１に係わるデジタルカメラの電気的構成を示すブロック図である。
【図６】本発明の実施例１に係わるデジタルカメラの主要部分の動作を示すフローチャートである。
【図７】本発明の実施例１に係わるデジタルカメラ２装着される撮像レンズのイメージサークルと撮像素子の移動範囲について説明するための図である。
【図８】本発明の実施例２に係わるデジタルカメラの主要部分の動作を示すフローチャートである。
【符号の説明】
【００４４】
１      デジタルカメラ
２      撮像レンズ
３      マウント
６      ＡＦ装置
３０    撮像素子駆動部
３１    撮像素子
３４    第１保持部
３５    軸
３６    第２保持部
３７    第１駆動部
３８    軸
４０    第２駆動部
５０    振動検出部
５１    位置検出部
５３    画像処理部
５４    画像メモリ
５８    制御部
５８ａ  ぶれ補正手段
【図１】
2006349707.tif 000003
【図２】
2006349707.tif 000004
【図３】
2006349707.tif 000005
【図４】
2006349707.tif 000006
【図５】
2006349707.tif 000007
【図６】
2006349707.tif 000008
【図７】
2006349707.tif 000009
【図８】
2006349707.tif 000010